(57)【要約】【課題】所望の位置に測定用プローブを正確かつ容易に接触させる。【解決手段】信号ケーブル３２が接続された接触子３１ａを有するテストプローブ４，４（測定用プローブ）を介して測定対象体１００に測定用信号Ｓ４を出力して電気的パラメータを測定する測定部１１と、測定部１１を制御する制御部１５とが本体部２（測定装置本体）内に配設された絶縁抵抗計１（測定装置）であって、測定開始スイッチ２３、および測定開始信号Ｓ１を出力する信号出力部１２を備えて一方のテストプローブ４に配設されると共に測定開始スイッチ２３が操作されたときに測定開始信号Ｓ１を接触子３１ａに印加するプローブ側操作部３と、測定開始信号Ｓ１を検出可能に構成されて本体部２内に配設されると共に測定開始信号Ｓ１を検出したときに検出信号Ｓ２を出力する信号検出部１２とを備え、制御部１５は、検出信号Ｓ２が出力されたときに測定用信号Ｓ４の出力を開始させる。【選択図】図１
2008304315.tif 000002
【特許請求の範囲】
【請求項１】
信号ケーブルが接続された接触子を有する一対の測定用プローブを介して測定対象体に測定用信号を出力して当該測定対象体の電気的パラメータを測定する測定部と、当該測定部を制御する制御部とが測定装置本体内に配設された測定装置であって、
測定開始スイッチ、および測定開始信号を出力する信号出力部を備えて構成されて前記両測定用プローブの一方に配設されると共に当該測定開始スイッチが操作されたときに当該一方の測定用プローブにおける前記信号ケーブルおよび当該接触子のいずれかに前記測定開始信号を印加する操作部と、
前記測定開始信号を検出可能に構成されて前記測定装置本体内に配設されると共に当該測定開始信号を検出したときに検出信号を出力する信号検出部とを備え、
前記制御部は、前記信号検出部から前記検出信号が出力されたときに、前記測定部を制御して前記測定用信号の出力を開始させる測定装置。
【請求項２】
前記操作部は、前記一方の測定用プローブに対して着脱可能に構成されている請求項１記載の測定装置。
【請求項３】
前記一対の測定用プローブを備え、当該両測定用プローブの一方には、前記操作部が一体的に形成されている請求項１記載の測定装置。
【請求項４】
信号ケーブルが接続された接触子を有する測定用プローブであって、
測定開始スイッチと、測定開始信号を出力する信号出力部とを備えて構成されて当該測定開始スイッチが操作されたときに前記信号ケーブルおよび当該接触子のいずれかに前記測定開始信号を印加する操作部を備えている測定用プローブ。
【請求項５】
測定開始スイッチと、測定開始信号を出力する信号出力部とを備えて構成されると共に、信号ケーブルが接続された接触子を有する測定用プローブに対して着脱可能に構成されて、当該測定用プローブに装着された状態において前記測定開始スイッチが操作されたときに前記信号ケーブルおよび当該接触子のいずれかに前記測定開始信号を印加可能に構成されている操作装置。
【発明の詳細な説明】
【技術分野】
【０００１】
本発明は、一対の測定用プローブを介して測定用信号を出力して測定対象体の電気的パラメータを測定する測定装置、測定用プローブ、および測定用プローブに対して着脱可能に構成された操作装置に関するものである。
【背景技術】
【０００２】
例えば絶縁抵抗計を用いた絶縁抵抗の測定に際しては、一対の測定用プローブを測定対象体に接触させた状態において両測定用プローブの間に測定用の高電圧を印加して測定対象体を流れる電流値を測定する。この場合、一般的な絶縁抵抗計では、電源スイッチや測定開始スイッチ等が本体部に配設されている。したがって、絶縁抵抗の測定に際しては、例えば、一方の測定用プローブを一方の手で持って測定対象体に接触させると共に、他方の測定用プローブを持った他方の手で電源スイッチや測定開始スイッチを操作し、その後に、他方の測定用プローブを測定対象体に接触させる必要がある。この場合、測定開始スイッチを操作した時点において両測定用プローブ間に測定用の高電圧が印加されているため、他方の測定用プローブを誤って人体に接触させたときには、感電事故が発生するおそれがある。このため、両測定用プローブを測定対象体に接触させた状態において測定用スイッチの操作を可能とするために、上記の例における他方の測定用プローブに測定開始スイッチを配設した測定装置が提案されている。
【０００３】
例えば、登録実用新案公報第３００６４２３号に開示されている絶縁抵抗計の探針（測定用プローブ）は、測定対象体に対する探針の押し付け動作に連動してオン操作されるスイッチ（上記の例における測定開始スイッチ）を備えて構成されている。この探針では、胴体に対して針部がスライド（進退動）可能に配設されて、胴体に対して針部が押し込まれることで測定開始スイッチがオン操作されて絶縁抵抗計による高電圧の印加が開始される構成が採用されている。この場合、この探針と絶縁抵抗計とを接続する信号ケーブルは、上記の針部に接続されたリード線と、スイッチにおける固定側接点に接続されたリード線と、可動側接点に接続されたリード線と、探針に配設されている表示部に接続された複数のリード線とを備えた多芯ケーブルで構成されている。
【０００４】
一方、絶縁抵抗の測定に際しては、上記の探針（以下、「スイッチ付き探針」ともいう）と、通常の探針（測定開始スイッチ等が配設されていない一般的な探針）とを絶縁抵抗計の本体部に接続する。次いで、絶縁抵抗計の電源スイッチをオン状態に操作した後に、測定対象体の任意の測定位置に両探針をそれぞれ接触させ、さらに、スイッチ付き探針を測定対象体に向けて押し付ける。この際には、胴体に対する針部の相対的なスライドに伴って測定開始スイッチの可動側接点が固定側接点に接触する（測定開始スイッチがオン操作される）。これに応じて、本体部内の測定部によって両探針の間に測定用の高電圧が印加されると共に、一例として、両探針間を導通する電流値が測定されて抵抗値が演算される。これにより、その演算結果（抵抗値）がスイッチ付き探針の表示部に表示される。この後、測定対象体に対するスイッチ付きプローブの押し付けを終了することで、胴体内に配設されたスプリングの反発力によって上記の押し付け方向とは逆向きに針部がスライドして測定開始スイッチの両接点の接触が解除される（測定開始スイッチがオフ操作される）。これにより、両探針間に対する測定用の高電圧の印加を終了し、一連の測定処理が完了する。
【特許文献１】登録実用新案公報第３００６４２３号（第４−７頁、第１図）
【発明の開示】
【発明が解決しようとする課題】
【０００５】
ところが、従来のスイッチ付き探針には、以下の問題点がある。すなわち、従来のスイッチ付き探針では、針部のスライドに伴ってオン／オフ操作される測定開始スイッチを備えると共に、この測定開始スイッチにおける固定側接点および可動側接点を信号ケーブル内の２本のリード線によって本体部に接続する構成が採用されている。このため、従来のスイッチ付き探針では、図６に示すように、本体部に接続するための信号ケーブル３２ｘが、針部に接続されたリード線（導線）４１ｘと、上記の測定開始スイッチの両接点にそれぞれ接続されたリード線（導線）４２ａｘ，４２ｂｘとの少なくとも３本を有することとなる。なお、同図では、上記の探針における表示部に接続されたリード線（導線）の図示を省略している。したがって、従来の探針を絶縁抵抗計に接続するための信号ケーブルは、実際には、同図に示す信号ケーブル３２ｘよりもさらに複数のリード線（導線）を有することとなる。
【０００６】
この場合、リード線４１ｘは、前述したように、抵抗値の測定時に測定用の高電圧が印加されるため、厚手の被覆５１ｘで覆って十分に絶縁する必要がある。また、被覆５１ｘで覆われたリード線４１ｘと、被覆５２ｘで覆われたリード線４２ａｘ，４２ｂｘとが別体となっている状態では、測定処理時においてこれらのリード線が突起物に引っ掛かるなどしてその取り扱いが煩雑となるおそれがある。したがって、例えば同図に示す信号ケーブル３２ｘのように、各リード線４１ｘ，４２ａｘ，４２ｂｘを一体的に束ねた状態で被覆５３ｘで覆って一体化するのが好ましい。しかしながら、このような構成を採用した場合には、リード線４１ｘが被覆５１ｘ，５３ｘによって二重に覆われ、リード線４２ａｘ，４２ｂｘが被覆５２ｘ，５３ｘによって二重に覆われた状態となる。したがって、従来のスイッチ付き探針には、信号ケーブル３２ｘ全体としての太さが過剰に太くなっていることに起因して折り曲げ難く、所望の接触位置に針部の先端を接触させるのが困難となっているという問題点がある。
【０００７】
本発明は、かかる問題点に鑑みてなされたものであり、所望の位置に測定用プローブを正確かつ容易に接触させることが可能な測定装置、測定プローブおよび操作部を提供することを主目的とする。
【課題を解決するための手段】
【０００８】
上記目的を達成すべく請求項１記載の測定装置は、信号ケーブルが接続された接触子を有する一対の測定用プローブを介して測定対象体に測定用信号を出力して当該測定対象体の電気的パラメータを測定する測定部と、当該測定部を制御する制御部とが測定装置本体内に配設された測定装置であって、測定開始スイッチ、および測定開始信号を出力する信号出力部を備えて構成されて前記両測定用プローブの一方に配設されると共に当該測定開始スイッチが操作されたときに当該一方の測定用プローブにおける前記信号ケーブルおよび当該接触子のいずれかに前記測定開始信号を印加する操作部と、前記測定開始信号を検出可能に構成されて前記測定装置本体内に配設されると共に当該測定開始信号を検出したときに検出信号を出力する信号検出部とを備え、前記制御部が、前記信号検出部から前記検出信号が出力されたときに、前記測定部を制御して前記測定用信号の出力を開始させる。
【０００９】
また、請求項２記載の測定装置は、請求項１記載の測定装置において、前記操作部が、前記一方の測定用プローブに対して着脱可能に構成されている。
【００１０】
また、請求項３記載の測定装置は、請求項１記載の測定装置において、前記一対の測定用プローブを備え、当該両測定用プローブの一方には、前記操作部が一体的に形成されている。
【００１１】
また、請求項４記載の測定用プローブは、信号ケーブルが接続された接触子を有する測定用プローブであって、測定開始スイッチと、測定開始信号を出力する信号出力部とを備えて構成されて当該測定開始スイッチが操作されたときに前記信号ケーブルおよび当該接触子のいずれかに前記測定開始信号を印加する操作部を備えている。
【００１２】
また、請求項５記載の操作装置は、測定開始スイッチと、測定開始信号を出力する信号出力部とを備えて構成されると共に、信号ケーブルが接続された接触子を有する測定用プローブに対して着脱可能に構成されて、当該測定用プローブに装着された状態において前記測定開始スイッチが操作されたときに前記信号ケーブルおよび当該接触子のいずれかに前記測定開始信号を印加可能に構成されている。
【発明の効果】
【００１３】
請求項１記載の測定装置では、一対の測定用プローブのうちの一方に配設されると共に測定開始スイッチが操作されたときに一方の測定用プローブにおける信号ケーブルおよび接触子のいずれかに測定開始信号を印加する（加える）操作部と、測定装置本体内に配設されて測定開始信号を検出したときに検出信号を出力する信号検出部とを備えて制御部が、信号検出部から検出信号が出力されたときに、測定部を制御して測定用信号の出力を開始させる。また、請求項５記載の操作装置では、測定開始スイッチが操作されたときに測定用プローブにおける信号ケーブルおよび接触子のいずれかに測定開始信号を印加可能に構成されている。
【００１４】
したがって、請求項１記載の測定装置および請求項５記載の操作部によれば、測定用信号を供給するためのリード線、および測定開始信号を伝達するための一対の専用のリード線を有する信号ケーブル３２ｘを備えた従来のスイッチ付き探針とは異なり、測定用プローブの接触子と測定装置本体の測定部とを接続するための信号ケーブルを介して操作部から測定装置本体（信号検出部）に測定開始信号を伝達することができる。このため、単線を絶縁した信号ケーブルで本発明における信号ケーブルを構成することができる。したがって、この測定装置および操作部によれば、信号ケーブルの太さを従来の信号ケーブル３２ｘよりも十分に細くすることができるため、測定処理時における信号ケーブルの折り曲げ（取り回し）が容易となる結果、所望の位置に測定用プローブ（接触子）を正確かつ容易に接触させることができる。
【００１５】
また、請求項２記載の測定装置によれば、一方の測定用プローブに対して操作部を着脱可能に構成したことにより、操作部が配設されていない通常の測定用プローブに操作部を装着して使用することができる結果、操作部と測定用プローブとを一体的に構成した測定用プローブと比較して、例えば、測定用プローブの接触子に摩耗や曲がりが生じたときに、測定用プローブのみを汎用の他の測定用プローブに交換するだけで測定装置を継続して使用することができる。
【００１６】
また、請求項３記載の測定装置では、一対の測定用プローブを備えると共に、両測定用プローブの一方に操作部が一体的に形成されている。また、請求項４記載の測定用プローブでは、測定開始スイッチが操作されたときに信号ケーブルおよび接触子のいずれかに測定開始信号を印加する（加える）操作部を備えている。したがって、この測定装置および測定用プローブによれば、測定用信号を供給するためのリード線、および測定開始信号を伝達するための一対の専用のリード線を有する信号ケーブル３２ｘを備えた従来のスイッチ付き探針とは異なり、測定用プローブの接触子と測定装置本体の測定部とを接続するための信号ケーブルを介して操作部から測定装置本体（信号検出部）に測定開始信号を伝達することができる。このため、単線を絶縁した信号ケーブルで本発明における信号ケーブルを構成することができる。したがって、この測定装置および測定用プローブによれば、信号ケーブルの太さを従来の信号ケーブル３２ｘよりも十分に細くすることができるため、測定処理時における信号ケーブルの折り曲げ（取り回し）が容易となる結果、所望の位置に測定用プローブ（接触子）を正確かつ容易に接触させることができる。
【発明を実施するための最良の形態】
【００１７】
以下、本発明に係る測定装置、測定用プローブおよび操作装置の最良の形態について、添付図面を参照して説明する。
【００１８】
最初に、絶縁抵抗計１の構成について、図面を参照して説明する。
【００１９】
図１に示す絶縁抵抗計１は、本発明に係る測定装置の一例であって、本体部２およびプローブ側操作部３を備えると共に、通常のテストプローブ４，４（本発明における測定用プローブ）が本体部２に接続されている。また、本体部２は、本発明における測定装置本体に相当し、測定部１１、信号検出部１２、操作部１３、表示部１４、制御部１５、電源部１６および接続用コネクタ１７を備えている。この場合、テストプローブ４は、図３に示すように、プローブ本体３１および信号ケーブル３２を備え、信号ケーブル３２におけるリード線（導線）の一端部には、接触子３１ａが接続されている。また、接触子３１ａの基端部（信号ケーブル３２が接続された側の端部）および信号ケーブル３２における接触子３１ａ側の端部は、把持部３１ｂを構成する絶縁性樹脂材料で覆われている。さらに、信号ケーブル３２における本体部２側の端部には、テストプローブ４を本体部２の接続用コネクタ１７に接続するための接続用コネクタ（図示せず）が配設されている。
【００２０】
測定部１１は、図１に示すように、制御部１５の制御に従い、両テストプローブ４，４を介して測定対象体１００に測定用信号Ｓ４を出力する（測定用の高電圧を印加する）と共に、両テストプローブ４，４間を導通する電流値を測定して電気的パラメータ（一例として抵抗値）を演算（測定）する。信号検出部１２は、一例として、テストプローブ４が接続される接続用コネクタ１７と測定部１１とを接続する配線の周囲に配設された信号ピックアップ用コイル部１２ａと、ＢＰＦと、コンパレータとを備えて構成されている。この信号検出部１２は、後述するようにして、プローブ側操作部３によってテストプローブ４に印加された（電磁結合によってテストプローブ４の接触子３１ａに印加された）測定開始信号Ｓ１を検出して制御部１５に検出信号Ｓ２を出力する。具体的には、この信号検出部１２では、例えば、ＢＰＦが、信号ピックアップ用コイル部１２ａによって検出（ピックアップ）された信号に含まれている測定開始信号Ｓ１の周波数成分を通過させて出力する。また、コンパレータが、ＢＰＦの出力信号のレベルが所定のしきい値を超えたときに検出信号Ｓ２を出力する。したがって、信号検出部１２（コンパレータ）は、プローブ側操作部３から測定開始信号Ｓ１が出力されているときに、制御部１５に対して検出信号Ｓ２を出力し、プローブ側操作部３からの測定開始信号Ｓ１の出力が停止されたときには、制御部１５に対する検出信号Ｓ２の出力を停止する。
【００２１】
操作部１３は、一例として、電源スイッチや測定モード切替スイッチなど（図示せず）を備えて構成されている。表示部１４は、制御部１５の制御に従い、測定部１１による測定結果（演算結果：この例では抵抗値）を表示する。制御部１５は、絶縁抵抗計１を総括的に制御する。具体的には、制御部１５は、操作部１３の電源スイッチが操作されたときに、信号検出部１２からの検出信号Ｓ２の出力を監視して、信号検出部１２から検出信号Ｓ２が出力されたときに、測定部１１に制御信号Ｓ３を出力して抵抗値の測定（測定用信号Ｓ４の出力、電流値の測定および抵抗値の演算）を開始させる。また、制御部１５は、信号検出部１２からの検出信号Ｓ２の出力が停止したときに、測定部１１に制御信号Ｓ３を出力して、上記の測定処理を終了させる。さらに、制御部１５は、測定部１１による測定結果を表示部１４に表示させる。電源部１６は、一例として、一次電池または二次電池で構成されて、絶縁抵抗計１の各部に電源を供給する。接続用コネクタ１７は、通常の（一般的な）テストプローブ４，４を接続可能に構成されている。
【００２２】
一方、プローブ側操作部３は、本発明における操作部および本発明に係る操作装置に相当し、交流信号生成部２１、電源部２２および測定開始スイッチ２３を備え、図２，３に示すように、テストプローブ４の接触子３１ａを挿通可能な挿通用孔２５が形成されたケーシング２６内にこれらが収容されて本体部２や両テストプローブ４，４とは別体に構成されている。この場合、この絶縁抵抗計１では、図３に示すように、一例として、上記の挿通用孔２５が、テストプローブ４の接触子３１ａよりも僅かに大径の小径部２５ａと、テストプローブ４における把持部３１ｂの先端部側（接触子３１ａ側）よりも僅かに大径の大径部２５ｂとで構成されており、挿通用孔２５内にテストプローブ４の接触子３１ａを圧入することで、プローブ側操作部３をテストプローブ４に脱着可能に取り付ける構成が採用されている。なお、テストプローブ４に対してプローブ側操作部３を取り付ける構成は、上記の構成に限定されず、例えば、ケーシング２６に設けたダルマねじによってテストプローブ４にプローブ側操作部３を固定する構成（図示せず）や、テープ状の面ファスナによってテストプローブ４にプローブ側操作部３を固定する構成など各種の構成を採用することもできる。
【００２３】
交流信号生成部２１は、本発明における信号出力部に相当し、後述するようにして、測定開始スイッチ２３がオン操作されたときに、テストプローブ４に測定開始信号Ｓ１を印加し（加え）、測定開始スイッチ２３のオン操作が終了したとき（オフ操作されたとき）に、テストプローブ４に対する測定開始信号Ｓ１の印加を停止する。具体的には、交流信号生成部２１は、プローブ側操作部３がテストプローブ４の接触子３１ａに装着された状態において接触子３１ａの周囲に位置するようにケーシング２６内に配設された信号出力用コイル部２１ａを備え、一例として、この信号出力用コイル部２１ａを介して上記の測定開始信号Ｓ１としての１ＭＨｚ程度の高周波信号をテストプローブ４の接触子３１ａ（「信号ケーブルおよび接触子のいずれか」の一例）に印加する（出力する）。この場合、測定開始信号Ｓ１として１ＭＨｚ〜１０ＭＨｚ程度の高周波信号を出力する構成を採用することで、前述した信号検出部１２（信号ピックアップ用コイル部１２ａ）によって測定開始信号Ｓ１を確実に検出することが可能となる。この場合、測定開始信号Ｓ１をテストプローブ４の接触子３１ａに印加する構成に代えて、信号ケーブル３２における接触子３１ａ側の端部、または信号ケーブル３２の中間部に測定開始信号Ｓ１を印加する構成を採用することもできる。電源部２２は、一次電池または二次電池で構成されて、交流信号生成部２１に電源を供給する。測定開始スイッチ２３は、一例としてオルターネート型のプッシュスイッチで構成されている。
【００２４】
次に、絶縁抵抗計１の使用方法について、図面を参照して説明する。
【００２５】
まず、両テストプローブ４，４の一方にプローブ側操作部３を装着する。具体的には、図３に示すように、テストプローブ４の接触子３１ａがプローブ側操作部３の挿通用孔２５における大径部２５ｂおよび小径部２５ａをこの順で挿通するようにして、テストプローブ４に対してプローブ側操作部３を矢印の向きに押し付ける。これにより、図４に示すように、挿通用孔２５にテストプローブ４の先端部が圧入されるようにしてテストプローブ４にプローブ側操作部３が装着される。次いで、プローブ側操作部３が装着されたテストプローブ４、およびプローブ側操作部３が未装着のテストプローブ４を本体部２の接続用コネクタ１７にそれぞれ接続する。これにより、絶縁抵抗計１の使用準備が完了する。
【００２６】
一方、絶縁抵抗値の測定に際しては、まず、本体部２における操作部１３の電源スイッチを投入する。この場合、この絶縁抵抗計１では、プローブ側操作部３の測定開始スイッチ２３が操作されていない状態（信号検出部１２によって測定開始信号Ｓ１が検出されていない状態）において、信号検出部１２によるテストプローブ４，４に対する測定用信号Ｓ４の出力が停止した状態が維持される。したがって、電源スイッチを投入した後にテストプローブ４，４が人体に触れたとしても、感電事故が発生する事態が回避される。
【００２７】
次いで、図１に示すように、両テストプローブ４，４を測定対象体１００に接触させた後に、プローブ側操作部３の測定開始スイッチ２３をオン操作する。この際には、スイッチ操作に伴って交流信号生成部２１による測定開始信号Ｓ１の生成および出力が開始され、信号出力用コイル部２１ａを介して電磁結合によってテストプローブ４の接触子３１ａに加えられた測定開始信号Ｓ１が信号ケーブル３２を介して本体部２に伝達される。この場合、この絶縁抵抗計１では、テストプローブ４の接触子３１ａと測定部１１とを相互に接続するための信号ケーブル３２を介してプローブ側操作部３から本体部２（信号検出部１２）に測定開始信号Ｓ１を伝達する構成を採用しているため、従来のスイッチ付き探針とは異なり、測定開始信号Ｓ１を伝達するための専用のリード線が不要となっている。したがって、信号ケーブル３２の太さが従来の信号ケーブル３２ｘよりも十分に細くなっている。
【００２８】
一方、本体部２では、信号検出部１２が信号ケーブル３２を介して伝達された測定開始信号Ｓ１を信号ピックアップ用コイル部１２ａを介して検出し、検出信号Ｓ２を制御部１５に出力する。これに応じて、制御部１５が測定部１１に制御信号Ｓ３を出力して測定処理を開始させる。具体的には、測定部１１は、制御部１５からの制御信号Ｓ３に従い、両テストプローブ４，４の間に測定用信号Ｓ４を印加すると共に、両テストプローブ４，４間を導通する電流の電流値を測定する。また、測定部１１は、出力した制御信号Ｓ３の電圧値と、測定した電流値とに基づいて、両テストプローブ４，４の間（すなわち、測定対象体１００においてテストプローブ４，４が接触している部位の間）の抵抗値を演算し、その演算結果を制御部１５に出力する。次いで、制御部１５が、測定部１１による演算結果を表示部１４に表示させる。
【００２９】
この後、測定開始スイッチ２３の操作を停止する（オフ操作する）ことにより、交流信号生成部２１からの測定開始信号Ｓ１の出力が停止される。この際には、信号検出部１２が検出信号Ｓ２の出力を停止し、これに応じて、制御部１５が測定部１１に制御信号Ｓ３を出力して測定処理（測定用信号Ｓ４の出力）を停止させる。次いで、測定部１１が測定用信号Ｓ４の出力を停止すると共に抵抗値の演算処理を停止する。これにより、一連の測定処理が完了する。
【００３０】
このように、この絶縁抵抗計１では、一対のテストプローブ４，４のうちの一方に配設されると共に測定開始スイッチ２３が操作されたときに一方のテストプローブ４における接触子３１ａに測定開始信号Ｓ１を印加するプローブ側操作部３と、本体部２内に配設されて測定開始信号Ｓ１を検出したときに検出信号Ｓ２を出力する信号検出部１２とを備えて制御部１５が、信号検出部１２から検出信号Ｓ２が出力されたときに、測定部１１を制御して測定用信号Ｓ４の出力を開始させる。また、このプローブ側操作部３では、測定開始スイッチ２３が操作されたときにテストプローブ４における接触子３１ａに測定開始信号Ｓ１を印加可能に構成されている。
【００３１】
したがって、この絶縁抵抗計１およびプローブ側操作部３によれば、測定用信号を供給するためのリード線、および測定開始信号を伝達するための一対の専用のリード線を有する信号ケーブル３２ｘを備えた従来のスイッチ付き探針とは異なり、テストプローブ４の接触子３１ａと本体部２の測定部１１とを接続するための信号ケーブル３２を介してプローブ側操作部３から本体部２（信号検出部１２）に測定開始信号Ｓ１を伝達することができる。このため、単線を絶縁した信号ケーブルで信号ケーブル３２を構成することができる。したがって、この絶縁抵抗計１およびプローブ側操作部３によれば、信号ケーブル３２の太さを従来の信号ケーブル３２ｘよりも十分に細くすることができるため、測定処理時における信号ケーブル３２の折り曲げ（取り回し）が容易となる結果、所望の位置にテストプローブ４，４（接触子３１ａ，３１ａ）を正確かつ容易に接触させることができる。
【００３２】
また、この絶縁抵抗計１によれば、本発明における操作部（プローブ側操作部３）を一方のテストプローブ４に対して着脱可能に（テストプローブ４のプローブ本体３１に対して着脱可能に）構成したことにより、プローブ側操作部３が配設されていない通常のテストプローブ４にプローブ側操作部３を装着して使用することができる結果、操作部（プローブ側操作部３）とテストプローブ４とを一体的に構成したテストプローブ（測定用プローブ）と比較して、例えば、テストプローブ４の接触子３１ａに摩耗や曲がりが生じたときに、テストプローブ４のみを汎用の他のテストプローブ４に交換するだけで絶縁抵抗計１を継続して使用することができる。
【００３３】
なお、本発明に係る測定装置は、上記の構成に限定されない。例えば、一方のテストプローブ４にプローブ側操作部３を装着して使用する例について説明したが、両方のテストプローブ４，４にプローブ側操作部３を装着して使用することもできる。また、電気的パラメータの一例として抵抗値を測定する絶縁抵抗計１について説明したが、電圧値、電流値およびインピーダンスなどの各種パラメータを測定する各種の測定装置に本発明を適用することができる。
【００３４】
また、テストプローブ４とは別体に構成したプローブ側操作部３をテストプローブ４に取り付けて使用する構成について説明したが、本発明はこれに限定されない。例えば、プローブ側操作部３を装着したテストプローブ４に代えて、図５に示すように、プローブ側操作部３ａを備えたテストプローブ４Ａを使用して絶縁抵抗を測定する構成を採用することができる。この場合、テストプローブ４Ａは、本発明に係る測定用プローブの一例であって、プローブ本体３１における把持部３１ｂの先端部側（接触子３１ａが突出している側）にプローブ側操作部３におけるケーシング２６が一体的に形成されて（プローブ本体３１と一体的に形成されて）、このケーシング２６内に交流信号生成部２１および電源部２２（図示せず）が収容されると共に、測定開始スイッチ２３が配設されて構成されている。なお、上記のプローブ側操作部３およびテストプローブ４と同一の機能を有する構成要素については、同一の符号を付して重複する説明を省略する。
【００３５】
このテストプローブ４Ａ、およびテストプローブ４Ａを備えた絶縁抵抗計（測定装置）によれば、測定用信号を供給するためのリード線、および測定開始信号を伝達するための一対の専用のリード線を有する信号ケーブル３２ｘを備えた従来のスイッチ付き探針とは異なり、テストプローブ４Ａの接触子３１ａと本体部２の測定部１１とを接続するための信号ケーブル３２を介してプローブ側操作部３ａから本体部２（信号検出部１２）に測定開始信号Ｓ１を伝達することができる。このため、単線を絶縁した信号ケーブルで信号ケーブル３２を構成することができる。したがって、この絶縁抵抗計およびテストプローブ４Ａによれば、信号ケーブル３２の太さを従来の信号ケーブル３２ｘよりも十分に細くすることができるため、測定処理時における信号ケーブル３２の折り曲げ（取り回し）が容易となる結果、所望の位置にテストプローブ４，４（接触子３１ａ，３１ａ）を正確かつ容易に接触させることができる。
【図面の簡単な説明】
【００３６】
【図１】絶縁抵抗計１の構成を示す構成図である。
【図２】プローブ側操作部３の外観斜視図である。
【図３】プローブ側操作部３およびテストプローブ４の側面図である。
【図４】テストプローブ４にプローブ側操作部３を取り付けた状態の側面図である。
【図５】プローブ側操作部３ａが一体的に形成されたテストプローブ４Ａの側面図である。
【図６】従来のスイッチ付き探針を絶縁抵抗計に接続するための信号ケーブル３２ｘの断面図である。
【符号の説明】
【００３７】
１  絶縁抵抗計
２  本体部
３，３ａ  プローブ側操作部
４，４Ａ  テストプローブ
１１  測定部
１２  信号検出部
１２ａ  信号ピックアップ用コイル部
１５  制御部
２１  交流信号生成部
２１ａ  信号出力用コイル部
２３  測定開始スイッチ
３１  プローブ本体
３１ａ  接触子
３２  信号ケーブル
Ｓ１  測定開始信号
Ｓ２  検出信号
Ｓ３  制御信号
Ｓ４  測定用信号
１００  測定対象体
【図１】
2008304315.tif 000003
【図２】
2008304315.tif 000004
【図３】
2008304315.tif 000005
【図４】
2008304315.tif 000006
【図５】
2008304315.tif 000007
【図６】
2008304315.tif 000008